(57)【要約】      （修正有）【課題】二重構造のゴミ箱を提供する。【解決手段】ゴミ箱１は、外側筒体２０と、外側筒体２０の内方に挿脱自在に挿入されてなる内側筒体３０と、中心部に内側筒体３０の内径よりも小さいゴミ投入口４１が形成されてなり、前記外側筒体の上端と前記内側筒体の上端とに橋設されてなる蓋４０とを備える。【選択図】図１
0003222853.tif 000002
【実用新案登録請求の範囲】
【請求項１】
外側筒体と、
前記外側筒体の内方に挿脱自在に挿入されてなる内側筒体と、
中心部に前記内側筒体の内径よりも小さいゴミ投入口が形成されてなり、前記外側筒体の上端と前記内側筒体の上端とに橋設されてなる蓋と、
を備えることを特徴とするゴミ箱。
【請求項２】
前記外側筒体は、前記外側筒体の下端を閉塞してなる外側底板を有してなり、
前記外側底板には、前記外側筒体に対する前記内側筒体の位置を決定する位置決め手段が設けられてなる
ことを特徴とする請求項１に記載のゴミ箱。
【請求項３】
前記位置決め手段は、前記外側底板の上面に配設されてなる外側凸部若しくは外側凹部であって、
前記内側筒体は、前記内側筒体の下端を閉塞してなる内側底板を有してなり、
前記内側底板には、前記外側凸部若しくは前記外側凹部と対応する位置の下面に配設されてなり、前記外側凸部若しくは前記外側凹部と嵌合可能な内側凹部若しくは内側凸部が形成されてなる
ことを特徴とする請求項２に記載のゴミ箱。
【請求項４】
前記蓋の下面から下方に突設されてなり、前記外側筒体の上端の内周面と前記内側筒体の上端の外周面との間に形成された環状の隙間に挿し入れられるスカート部を有してなる
ことを特徴とする請求項１〜請求項３のいずれか１つに記載のゴミ箱。
【請求項５】
前記ゴミ投入口を形成してなる縁には、下方へ延出してなるカエリ状片が形成されてなる
ことを特徴とする請求項１〜請求項４のいずれか１つに記載のゴミ箱。
【考案の詳細な説明】
【技術分野】
【０００１】
本考案は、特に、二重構造のゴミ箱に関する。
【背景技術】
【０００２】
従来、家庭用のゴミ箱としては、有底の筒形状のゴミ箱が知られている。また、このゴミ箱を使用するにあたっては、ゴミ箱の筒内部にビニール袋を挿入し、該ビニール袋の上部をゴミ箱の上端において外側に折り返して、ゴミ箱の上端に掛止し、該ビニール袋をゴミ箱に装着する場合がある。これは、ゴミ箱が汚れることを防止し、またゴミ箱に溜まったゴミを容易に廃棄することを可能とするために行われるものである。
【０００３】
しかしながら、ゴミ箱にビニール袋を装着すると、ゴミ箱の上端部においてビニール袋が視認され、見栄えがよくないという問題があった。
【０００４】
このような問題を解決するために、特許文献１では、外部ゴミ箱と内部ゴミ箱をゴミ袋を装着できるように内径の差を設けた二重構造とする技術が開示されている。
【先行技術文献】
【特許文献】
【０００５】
【特許文献１】特開２０１４−２１８３６６号公報
【考案の概要】
【考案が解決しようとする課題】
【０００６】
しかし、特許文献１に係るゴミ箱では、内側筒体と外側筒体との間に上方が開放されてなる隙間が存在するため、過誤により内側筒体と外側筒体との隙間にゴミが入ってしまうという問題が存在した。
【０００７】
また、特許文献１に係るゴミ箱では、該ゴミ箱にビニール袋を装着して使用する場合に、内側筒体と外側筒体との隙間に挿入されたビニール袋が上方から視認可能である。さらに、該隙間に挿入されたビニール袋の折れ目が内部ゴミ箱の上端に当接する位置よりも上方に持ち上がってしまっている状態においては、該ビニール袋を側方からも視認可能である。従って、特許文献１に係るゴミ箱では、未だ美感上優れたものではないという問題が存在した。
【課題を解決するための手段】
【０００８】
そこで、前記課題を解決するための手段として本考案に係るゴミ箱は、外側筒体と、前記外側筒体の内方に挿脱自在に挿入されてなる内側筒体と、中心部に前記内側筒体の内径よりも小さいゴミ投入口が形成されてなり、前記外側筒体の上端と前記内側筒体の上端とに橋設されてなる蓋と、を備えることを特徴とする。
【０００９】
前記の構成によれば、前記外側筒体と前記内側筒体との間に形成された隙間の上方が閉塞されていることにより、該隙間の略鉛直方向上方からゴミが該隙間の位置へと落ちてきた場合であっても、所定の位置に橋設されてなる蓋によって、ゴミが該隙間に入り込むことを防止することができる。
【００１０】
またさらに前記の構成によれば、前記ゴミ箱にビニール袋を装着して使用する場合であっても、前記外側筒体の上端と前記内側筒体の上端とに橋設されてなる前記蓋によって、前記外側筒体と前記内側筒体との間に形成された隙間の上方が閉塞されるため、該隙間に挿入されたビニール袋が上方及び側方から視認されることがない。
これにより、ゴミ箱にビニール袋を装着した場合にあっても、使用時におけるゴミ箱の美感が従来よりも優れたものとなる。
【００１１】
また、前記外側筒体は、円筒形状に限られるものではなく、例えば中空の三角柱形状、四角柱形状、楕円柱形状、又は、水平方向に切断した際の断面が動物の顔となる形状等種々の形状を採用することができる。
【００１２】
またさらに、前記外側筒体は、有底の物に限られず、無底の形状とすることもできる。
【００１３】
また、前記内側筒体は、円筒形状に限られるものではなく、例えば中空の三角柱形状、四角柱形状、楕円柱形状、又は、水平方向に切断した際の断面が動物の顔となる形状等前記外側筒体の内方に挿脱自在な種々の形状を採用することができる。
【００１４】
またさらに、前記内側筒体は、有底の物に限られず、無底の形状とすることもできる。
【００１５】
また、前記外側筒体は、前記外側筒体の下端を閉塞してなる外側底板を有してなり、前記外側底板には、前記外側筒体に対する前記内側筒体の位置を決定する位置決め手段が設けられてなることとしても好ましい。
【００１６】
前記の位置決め手段を有する構成とした場合には、前記外側筒体に対して前記内側筒体を正しい位置に設置することが、位置決め手段を有しない構成と比較して容易となる。
【００１７】
なお、前記位置決め手段としては、後述する凹凸部材を備えた構成が好ましいが、該構成に限られるものではなく、例えば前記外側底板の外側筒体内周付近に前記内側筒体の下端外周と合致する印を設けた構成、前記内側筒体を透明として、前記内側筒体から透視した際に正しい位置が分かるマークを設けた構成等種々の構成を採用することができる。
【００１８】
また、前記位置決め手段は、前記外側底板の上面に配設されてなる外側凸部若しくは外側凹部であって、前記内側筒体は、前記内側筒体の下端を閉塞してなる内側底板を有してなり、前記内側底板には、前記外側凸部若しくは前記外側凹部と対応する位置の下面に配設されてなり、前記外側凸部若しくは前記外側凹部と嵌合可能な内側凹部若しくは内側凸部が形成されてなることとしても好ましい。
【００１９】
前記の構成によれば、前記外側凸部若しくは前記外側凹部と前記内側凹部若しくは前記内側凸部とを嵌合させることで、容易に前記外側筒体に対する前記内側筒体の位置決めをすることができる。
【００２０】
またこの場合には、前記ゴミ箱が外部からの力によって移動した場合であっても、前記嵌合状態によって、前記外側筒体の内部で前記内側筒体が移動することに対する抵抗が働く。
【００２１】
またさらに、前記外側凸部若しくは前記外側凹部と前記内側凹部若しくは前記内側凸部とが嵌合した瞬間には、前記内側筒体を支持している前記ゴミ箱の使用者の手に、嵌合した振動が伝わるために、正しい位置に前記内側筒体が設置されたことを知ることができる。これにより、前記使用者は、前記外側筒体及び前記内側筒体を上方から視認しながら前記外側筒体に対する前記内側筒体の位置決めをすることを要さない。
【００２２】
また、前記外側凸部、前記外側凹部、前記内側凹部、若しくは前記内側凸部は、前記外側底板の中心に一組位置する場合に限られるものではなく、例えば、径方向に二組配設されてなる構成等の種々の配置構成を採用することができる。
【００２３】
また、前記蓋の下面から下方に突設されてなり、前記外側筒体の上端の内周面と前記内側筒体の上端の外周面との間に形成された環状の隙間に挿し入れられるスカート部を有してなることとしても好ましい。
【００２４】
前記スカート部を有する構成によれば、前記内側筒体に対してビニール袋を装着した後に前記内側筒体を前記外側筒体に挿入する場合であって、ビニール袋の一部が外側筒体の上端付近と接触して捲れ上がってしまったときであっても、前記スカート部が前記捲れ上がったビニール袋の一部を下方へと押圧することにより、ビニール袋が前記外側筒体と前記内側筒体との隙間に押し入れられ、該隙間からビニール袋が視認できない状態とすることができる。
【００２５】
なお、前記スカート部としては、前記蓋の下面の全周に亘って連続する構成のみならず、所定間隔を空けて周方向に複数のスカート部が配設されてなる構成等種々の構成を採用することができる。
【００２６】
前記ゴミ投入口を形成してなる縁には、下方へ延出してなるカエリ状片が形成されてなることとしても好ましい。
【００２７】
前記カエリ状片が形成されてなる構成によれば、本考案に係るゴミ箱にビニール袋を装着して使用する場合において、前記ゴミ投入口を通して視認されるビニール袋の面積を、前記カエリ状片を有しない場合と比べて小さくすることができる。これは、前記カエリ状片が、前記ゴミ投入口を通して視認されるビニール袋の面積の一部を遮蔽することによる。これにより、さらに美感上優れたゴミ箱を提供することができる。
【考案の効果】
【００２８】
本考案によれば、前記外側筒体と前記内側筒体との間に形成された隙間の上方が閉塞されていることにより、該隙間の略鉛直方向上方からゴミが該隙間の位置へと落ちてきた場合であっても、所定の位置に橋設されてなる蓋によって、ゴミが該隙間に入り込むことを防止することができる。
【００２９】
またさらに、前記ゴミ箱にビニール袋を装着して使用する場合であっても、前記外側筒体の上端と前記内側筒体の上端とに橋設されてなる前記蓋によって、前記外側筒体と前記内側筒体との間に形成された隙間の上方が閉塞されるため、該隙間に挿入されたビニール袋が上方及び側方から視認されることがない。
これにより、ゴミ箱にビニール袋を装着した場合にあっても、使用時におけるゴミ箱の美感が従来よりも優れたものとなる。
【図面の簡単な説明】
【００３０】
【図１】本考案に係るゴミ箱１にビニール袋Ｂを装着した状態の分解斜視図である。
【図２】本考案に係るゴミ箱１の分解斜視図である。
【図３】本考案に係るゴミ箱１の正面図である。
【図４】本考案に係るゴミ箱１の平面図である。
【図５】本考案に係るゴミ箱１の底面図である。
【図６】本考案に係るゴミ箱１の図３におけるＡ−Ａ線断面図である。
【図７】本考案に係るゴミ箱１の図３におけるＡ−Ａ線分解断面図である。
【図８】本考案に係るゴミ箱１にビニール袋Ｂを装着した状態の図３におけるＡ−Ａ線断面図である。
【図９】本考案に係るゴミ箱１の図６におけるＢ−Ｂ線拡大図である。
【図１０】本考案に係るゴミ箱１の図６におけるＣ−Ｃ線拡大図である。
【考案を実施するための形態】
【００３１】
以下、本考案に係るゴミ箱１の実施の形態を、図を参照しながら詳しく説明する。なお、本明細書及び図面において、実質的に同一の機能構成を有する構成要素については、同一の符号を付することにより重複説明を省略する
【００３２】
まず初めに、本考案に係るゴミ箱１の構成を説明する。
【００３３】
本考案に係るゴミ箱１は、外側筒体２０と、外側筒体２０の内方に挿脱自在に挿入されてなる内側筒体３０と、外側筒体２０の上端と内側筒体３０の上端とに橋設されてなる蓋４０と、を備えてなる。
【００３４】
外側筒体２０は、外側筒体２０の下端を閉塞してなる外側底板２１を有してなり、外側筒体２０の下端には、外側筒体２０の下端と連続して、全周に亘り脚２４が形成されてなる。また、外側筒体２０は下側に向かうにつれて縮径する円筒形状に形成されてなり、その高さは約２４０ｍｍ、外側上縁２３の直径は約２２０ｍｍ、脚２４の直径は約１９０ｍｍとなっている。
【００３５】
さらに、外側底板２１の上面には、外側筒体２０に対する内側筒体３０の位置を決定する位置決め手段である、外側凸部２２が設けられてなる。また、外側凸部２２は、外側底板２１の中心に、外側底板２１の中心を上方に突出して形成されてなる。
【００３６】
内側筒体３０は、内側筒体３０の下端を閉塞してなる内側底板３１を有してなり、内側筒体３０は、内側底板３１の外周から立設されてなる。また、内側筒体３０は下側に向かうにつれて縮径する円筒形状に形成されてなる。また、その高さは、内側上縁３３が外側上縁２３と水平となるように形成されてなる。またさらに、外側上縁２３の直径は約２００ｍｍとなっている。さらに、内側筒体３０の下端における直径は、外側筒体２０の下端の内径よりも僅かに小さい直径となっている。
【００３７】
さらに、内側底板３１には、外側凸部２２と対応する位置である内側底板３１の中心の下面に配設されてなり、外側凸部２２と嵌合可能な内側凹部３２が形成されてなる。また、内側凹部３２は、内側底板３１の中心に、内側底板３１の中心を上方に突出して形成されてなる。
【００３８】
蓋４０は、図示するように、蓋環体４２と、蓋環体４２の内周に連接されてなる平環体４４と、平環体４４の内周に連接されてなるカエリ状片４５と、蓋環体４２の下面に位置するスカート部４３と、を有してなる。
【００３９】
また、蓋４０には、その中心部に内側筒体３０の上端の内径よりも僅かに小さい円形のゴミ投入口４１が形成されてなる。
【００４０】
さらに、スカート部４３は、蓋環体４２の下面から下方に突設されてなり、外側筒体２０の上端の内周面と内側筒体３０の上端の外周面との間に形成された環状の隙間に挿し入れることができるように、蓋環体４２の全周に亘り、前記隙間と対応する位置・大きさに形成されてなる。
【００４１】
また、カエリ状片４５は、ゴミ投入口４１を形成してなる縁である平環体４４の全周に亘り、平環体４４の内周から下方へ延出してなる。
【００４２】
また、蓋４０の橋設状態は、蓋４０のゴミ投入口４１を形成してなる縁（平環体４４の内周のことをいう。）よりも径方向外側に存在する周が内側筒体３０の上端と当接し、蓋４０の外周（蓋環体４２の外周のことをいう。）よりも径方向内側に存在する周が外側筒体２０の上端と当接することにより、内側筒体３０の外周面と外側筒体２０の内周面との間に形成されてなる隙間を閉塞してなることによって実現されている。
【００４３】
また、蓋環体４２の下面には、スカート部４３の内周壁を一端壁として形成されてなる内側溝４６と、スカート部４３の外周壁を一端壁として形成されてなる外側溝４７とが形成されてなる。なお、内側溝４６は、内側筒体３０の鉛直方向上方に配設されてなり、幅が内側筒体３０の周壁の厚みよりも大きく形成されてなり、内側筒体３０の上端である内側上縁３３と嵌合することができる。また、外側溝４７は、外側筒体２０の鉛直方向上方に配設されてなり、幅が外側筒体２０の周壁の厚みよりも大きく形成されてなり、外側筒体２０の上端である外側上縁２３と嵌合することができる。
【００４４】
以下、本考案に係るゴミ箱１にビニール袋Ｂを装着して使用する場合の使用法について、本考案の作用・効果と共に説明する。
【００４５】
図１、図２、及び図７に示すように、本考案に係るゴミ箱１は外側筒体２０と内側筒体３０と蓋４０とを分解することができる。
そこでまず、ゴミ箱１の使用者は、ゴミ箱１を外側筒体２０と内側筒体３０と蓋４０とに分解する。
【００４６】
次に、ゴミ箱１の使用者は、内側筒体３０の内部に内側筒体３０の軸方向上側から軸方向下側に向って、ビニール袋Ｂの袋部を挿入する。そして、ビニール袋Ｂの上端部を外側に折返し、折返し部ｂを外側筒体２０の上端部の外周壁に沿うように外側筒体２０の上端に掛ける。
上記動作により、内側筒体３０にビニール袋Ｂを装着することができる。
【００４７】
その次に、ゴミ箱１の使用者は、ビニール袋Ｂが掛けられた内側筒体３０の上端に、蓋４０の内側溝４６を嵌合し、内側筒体３０に蓋４０を装着する。
【００４８】
これにより、ビニール袋Ｂは、装着されたビニール袋Ｂの折れ目から折返し部ｂの下側に向って、内側筒体３０の上端部の外周壁とスカート部４３の内周壁とによって挟んで押さえつけられる。
【００４９】
最後に、ゴミ箱１の使用者は、ビニール袋Ｂ及び蓋４０が装着された内側筒体３０を、外側筒体２０の軸と内側筒体３０の軸とが合わさる位置で、外側筒体２０の軸方向上側から軸方向下側に向って、外側筒体２０を挿入する。
このとき、外側底板２１と内側底板３１が近接する位置まで内側筒体３０が挿入された時点で、外側凸部２２に内側凸部が嵌合される。さらに、外側筒体２０の上端は、蓋４０の外側溝４７に嵌合される。
【００５０】
この際、ゴミ箱１の使用者の内側筒体３０及び蓋４０を把持する手には、外側凸部２２と内側凸部が嵌合された振動が伝わり、ゴミ箱１の使用者は、内側筒体３０が外側筒体２０に対して正しい位置に挿入されたことを知ることができる。
【００５１】
これにより、ゴミ箱１の使用者は、外側筒体２０及び内側筒体３０を上方から視認しながら外側筒体２０に対する内側筒体３０の位置決めをすることを要しない。よって、従来の二重構造のゴミ箱１と比較して、外側筒体２０に対する内側筒体３０の位置決めが容易となる。
さらに、ゴミ箱１が外部からの力によって移動した場合であっても、前記嵌合状態によって、外側筒体２０の内部で内側筒体３０が移動することに対する抵抗が働く。
【００５２】
また、蓋４０はスカート部４３を有することから、内側筒体３０に対してビニール袋Ｂを装着した後に内側筒体３０を外側筒体２０に挿入する場合に、内側筒体３０の上端部の外周壁とスカート部４３の内周壁とによって挟んで押さえつけられたビニール袋Ｂの折返し部ｂの部分は、捲れ上がることがない。
さらに、図８に示すようにスカート部４３の下側に、内側筒体３０の上端部の外周壁とスカート部４３の内周壁とによって挟んで押さえつけられていない折返し部ｂの自由片が存在する場合は、折返し部ｂの自由片が、外側筒体２０の上端付近と当接して捲れ上がることがあるが、この場合においても、スカート部４３が前記自由片を下方へと押圧することによりビニール袋Ｂが外側筒体２０と内側筒体３０との隙間に押し入れられ、該隙間からビニール袋Ｂが視認できない状態とすることができる。
【００５３】
またさらに蓋４０の平環体４４の内周には、全周に亘り、平環体４４の内側から下方へ延出してなるカエリ状片４５が配設されてなることにより、ゴミ投入口４１を通して視認されるビニール袋Ｂの面積を、カエリ上辺を有しない場合と比べて小さくすることができる。これは、カエリ上辺がゴミ投入口４１を通して視認されるビニール袋Ｂの面積の一部を遮蔽することによる。
これによって、美感上優れたゴミ箱１を提供することが可能となる。
【００５４】
また、本実施形態におけるゴミ箱１は、外側筒体２０と内側筒体３０との間に形成された隙間の上方が閉塞されていることにより、該隙間の略鉛直方向上方からゴミが該隙間の位置へと落ちてきた場合であっても、所定の位置に橋設されてなる蓋４０によって、ゴミが該隙間に入り込むことを防止することができる。
【００５５】
またさらに、ゴミ箱１にビニール袋Ｂを装着して使用する場合であっても、外側筒体２０の上端と内側筒体３０の上端とに橋設されてなる蓋４０によって、外側筒体２０と内側筒体３０との間に形成された隙間の上方が閉塞されるため、該隙間に挿入されたビニール袋Ｂが上方及び側方から視認されることがない。
これにより、ゴミ箱１にビニール袋Ｂを装着した場合にあっても、使用時におけるゴミ箱１の美感が従来よりも優れたものとなる。
【００５６】
本実施形態においては、ビニール袋Ｂを装着して本考案に係るゴミ箱１を使用する場合について説明したが、本考案に係るゴミ箱１は、ビニール袋Ｂを装着することなく使用することもできる。
すなわち、ビニール袋Ｂを装着しない場合であっても、本考案に係る内側筒体３０の外周面と外側筒体２０の内周面とに形成されてなる隙間にゴミが入り込むことを防止する効果を奏することができる。
【００５７】
また、本考案に係るゴミ箱１は、実施形態において記載した大きさに限定されるものではなく、ビニール袋Ｂを装着して使用する場合にあっては、該ビニール袋Ｂを装着可能な大きさを選択することができ、ビニール袋Ｂを装着しない場合にあっては、そのような大きさの制限はない。
【００５８】
またさらに、本実施形態においては位置決め手段として、外側底板２１が外側凸部２２を外側底板２１の中心に一つ、内側底板３１が内側凹部３２を内側底板３１の中心に一つ有している構成を用いて説明したが、本考案は該構成に限定されるものではなく、種々の位置決め手段を採用することができる。
また、位置決め手段は、外側底板２１に存在する場合に限られるものではなく、蓋４０に設けられてなることとしてもよい。
【符号の説明】
【００５９】
１ ゴミ箱
２０ 外側筒体
２１ 外側底板
２２ 外側凸部
２３ 外側上縁
２４ 脚
３０ 内側筒体
３１ 内側底板
３２ 内側凹部
３３ 内側上縁
４０ 蓋
４１ ゴミ投入口
４２ 蓋環体
４３ スカート部
４４ 平環体
４５ カエリ状片
４６ 内側溝
４７ 外側溝
Ｂ ビニール袋
ｂ 折返し部
【図１】
0003222853.tif 000003
【図２】
0003222853.tif 000004
【図３】
0003222853.tif 000005
【図４】
0003222853.tif 000006
【図５】
0003222853.tif 000007
【図６】
0003222853.tif 000008
【図７】
0003222853.tif 000009
【図８】
0003222853.tif 000010
【図９】
0003222853.tif 000011
【図１０】
0003222853.tif 000012